(57)【要約】      （修正有）【課題】生理用ナプキン等に求められる液等の吸収保持性や防漏性、フィット性を十分に実現し、さらに個包装体とするときの折り畳み形状を安定させ、かつ表面材の浮きや個装折線及びその近傍での皺いりを抑制ないし防止する吸収性物品を提供する。【解決手段】表面材（２）と裏面材（３）と該両材に介在された吸収体（１）とを有する吸収性物品（１０）が個装折線に沿って折り畳まれた個包装体（１００）であって、前記吸収性物品（１０）の表面材（２）側には周状の防漏溝（５）が形成され、該周状の防漏溝（５）には前記個装折線の位置で平面視において周内方に入り込む括れ部があり、前記周状防漏溝より内側であって前記個装折線と略平行に幅方向へ延びる弧状の中央溝（４）を有し、該中央溝がある領域には前記括れ部及び個包装折り線がある吸収性物品の個包装体（１００）。【選択図】図１
2010178932.tif 000002
【特許請求の範囲】
【請求項１】
表面材と裏面材と該両材に介在された吸収体とを有する吸収性物品が個装折線に沿って折り畳まれた個包装体であって、前記吸収性物品の表面材側には周状の防漏溝が形成され、該周状の防漏溝には前記個装折線の位置で平面視において周内方に入り込む括れ部があり、前記周状防漏溝より内側であって前記個装折線と略平行に幅方向へ延びる弧状の中央溝を有し、該中央溝がある領域には前記括れ部及び個包装折り線がある吸収性物品の個包装体。
【請求項２】
前記表面材は、前記吸収性物品の長手方向にそって延びる複数条の畝部を有し、該畝部は断面において裏面がわが凹とされそれに対応して表面がわに凸とされた請求項１に記載の吸収性物品の個包装体。
【請求項３】
前記表面材の畝部の間には、多数の陥没部もしくは開孔部がある請求項２に記載の吸収性物品の個包装体。
【請求項４】
前記吸収体はパルプ繊維で構成され、該パルプ繊維の坪量が１００ｇ／ｍ２以上３００ｇ／ｍ２未満である請求項１〜３のいずれか１項に記載の吸収性物品の個包装体。
【請求項５】
前記個装折線は前記吸収性物品の長手方向において前後２本ある請求項１〜４のいずれか１項に記載の吸収性物品の個包装体。
【請求項６】
前記中央溝は平面視において、前記周状防漏溝の括れ部にあたる左右の溝を橋架けするように前記吸収性物品の幅方向にのび、かつ、前記吸収性物品の前後外方に向けて中央が張り出す円弧状とされた請求項１〜５のいずれか１項に記載の吸収性物品の個包装体。
【発明の詳細な説明】
【技術分野】
【０００１】
本発明は、生理用ナプキンなどの吸収性物品を個別包装した吸収性物品の個包装体に関する。
【背景技術】
【０００２】
生理用ナプキンやパンティライナー等の吸収性物品は、その一般的な構成として表面材と裏面材との間に吸収体を介在させた構造を有する。近年、経血などの排泄液を直接うける物品の排泄対応部に中高部を設けるなどして、着用者の肌とナプキンの表面との密着性を向上させたものが開発されている。
【０００３】
例えば３００〜６００ｇ/ｍ２の高坪量の吸収体を適用したものとして、特許文献１には、生理用ナプキンにその長手方向に延びる周状の溝を設け、この周状溝に長手方向の前後において周内方に入り込む括れ部を設けたものが提案されている。このナプキンによれば上記周状溝の周内の吸収体の厚みが相対的にまし、着用時の形状においては特にナプキンの中央で主に排泄を受ける部分が着用者の肌面にフィットするとされる。そして、この種のナプキンは未使用時には携帯に適するようコンパクトに折り畳まれるが、この個装折線を上記周状溝の括れ部に対応するように配置することが開示されている。
【０００４】
これに対し１００ｇ/ｍ２前後の低坪量の薄い吸収体を適用したものとして、ナプキンの中央で幅方向に沿って表面材側が凹状になるよう折り曲げたときの曲げ剛性が、該中央部を長手方向に沿って凹状になるように折り曲げたときの曲げ剛性よりも低くなるようにしたものが提案されている（特許文献２参照）。これによりナプキン中央の長手方向と幅方向との曲げ剛性のバランスが好適化され着用時の良好なフィット性が実現されるが、ナプキンを折り畳んで個包装体とすることについては一切触れていない。
【先行技術文献】
【特許文献】
【０００５】
【特許文献１】特開２００６−３２５６３９号公報
【特許文献２】特開２００２−６５７４１号公報
【発明の概要】
【発明が解決しようとする課題】
【０００６】
ところで、上記生理用ナプキン等の吸収性物品は前述のとおり通常、製品として出荷され未使用のときにはコンパクトに折り畳まれた個包装体とされるが、この折り畳みによる折り目付き等が製品性能に影響を与えることがある。例えば、本発明者らの確認によると、上記特許文献１に開示されたタイプの生理用ナプキンにおいて、これを三つ折りとして個包装体として一定の期間をおき、使用時にこの包装を解くと、折線部に皺が残ったり、中央部分で表面材の浮きが生じたりすることがあることがわかってきた。この「皺」や「浮き」は、上記３００〜６００ｇ/ｍ２といった高坪量の吸収体を適用すれば生じにくくなる傾向がある。しかしながら、例えば１００ｇ／ｍ２程度の低坪量の吸収体、つまり図９に示したように、薄い吸収体を使った生理用ナプキン４０においては、周状溝５ないし側方線上溝６（６Ａ，６Ｂ）の左右を跨いで、個装折線ｋ２にあたる周状溝の括れ部５ａがある領域２１に幅方向に乱雑に延びるような皺２１が生じる。また、ナプキンの長手方向中央においては表面材２と吸収体４とが距離ｒ２をもって離間し浮きが生じ回復しないことがある（図１０参照）。このように表面材２に浮きが生じれば表面材２を透過した経血等が吸収体４にうまく移行せず液等の吸収保持性が低下する。また、幅方向の皺２１が深く多く残れば、せっかく周状溝５や側方溝６が防漏機能を有していても、皺２１を伝わって液等が横へ逃げ、物品幅方向の防漏性が劣ることとなる。
【０００７】
上記の点に鑑み本発明は、生理用ナプキン等に求められる液等の吸収保持性や防漏性、フィット性を十分に実現し、さらに個包装体とするときの折り畳み形状を安定させ、かつ表面材の浮きや個装折線及びその近傍での皺いりを抑制ないし防止する吸収性物品の提供を目的とする。また、着用時においても表面材の浮きを好適に防止し、長時間着用したときにも吸収体の撚れや偏りを起こさせず良好な液等の吸収保持性を維持しうる吸収性物品の個包装体の提供を課題とする。
【課題を解決するための手段】
【０００８】
上記の課題は、表面材と裏面材と該両材に介在された吸収体とを有する吸収性物品が個装折線に沿って折り畳まれた個包装体であって、前記吸収性物品の表面材側には周状の防漏溝が形成され、該周状の防漏溝には前記個装折線の位置で平面視において周内方に入り込む括れ部があり、前記周状防漏溝より内側であって前記個装折線と略平行に幅方向へ延びる弧状の中央溝を有し、該中央溝がある領域には前記括れ部及び個包装折り線がある吸収性物品の個包装体によって達成された。
【発明の効果】
【０００９】
本発明の吸収性物品の個包装体は、さらに、この包装を解き着用したきときの液等の高い吸収保持性や防漏性、良好なフィット性を実現し、個包装体とされるときの折り畳み形状を安定させ、しかも表面材の浮き個装折線及びその近傍での皺いりを抑制ないし防止することができるという優れた作用効果を奏する。また、着用中の表面材の吸収体からの剥離による浮きも好適に防止され、長時間着用したときにも吸収体の過度の撚れや偏りを起こさせず良好な液等の吸収保持性及び安定した着用感を維持しうる。
【図面の簡単な説明】
【００１０】
【図１】本発明の個包装体の好ましい実施形態としての生理用ナプキンの個包装体を模式的に示す一部切欠斜視図である。
【図２】本実施形態の個包装体の包装を解き面状にした生理用ナプキンを模式的に示す一部切欠平面図である。
【図３】図２のIII−III線断面の拡大断面図である。
【図４】本実施形態の生理用ナプキンを着用したときの変形状態を模式的に示す斜視図である。
【図５】本実施形態の生理用ナプキンの個包装体の折り畳み包装状態を解いたときの個装折線周辺の状態を模式的に示す拡大一部斜視図である。
【図６】図６（ａ）は本発明の個包装体に適用しうる表面材の一実施形態における要部を模式的に示す一部断面斜視図であり、図６（ｂ）は図６（ａ）の方向ｂからみた断面図である。
【図７】本発明の別の実施形態の個包装体の包装を解き面状にした生理用ナプキンを模式的に示す平面図である。
【図８】本発明のさらに別の実施形態の個包装体の包装を解き面状にした生理用ナプキンを模式的に示す平面図である。
【図９】従来の生理用ナプキンの個包装体の折り畳み包装状態を解いたときの個装折線周辺の状態を模式的に示す一部斜視図である（図５に対応する。）。
【図１０】従来の生理用ナプキンの個包装体の折り畳み包装状態を解いたときの長手方向略中央の幅方向断面図である（図３に対応する。）。
【発明を実施するための形態】
【００１１】
以下、本発明の吸収性物品の個包装体について、その好ましい実施形態である生理用ナプキンの個包装体およびこれを開包した生理用ナプキンに基づき、図面を参照しながら詳細に説明する。
【００１２】
図１は本発明の個包装体の好ましい実施形態としての生理用ナプキンの個包装体１００を一部切欠して模式的に示す斜視図である。同図に示すように、本実施形態の個包装体１００は、生理用ナプキン１０が個装折線ｋ１、ｋ２、ｋ３で折り曲げられ、長手方向において三つ折りにして畳まれ、タブテープ８により開封可能に止着されている。この個包装体をなす生理用ナプキンは、液透過性の表面材２、液不透過性の裏面材３、及びこれら両材に介在された吸収体１とからなる。本実施形態のナプキンにおける吸収体１は、パルプ坪量１００ｇ／ｍ２以上３００ｇ／ｍ２未満といったこの種の物品としては比較的低い坪量のものとなっている。
【００１３】
本実施形態の個包装体１００をなす生理用ナプキン１０には、その表面材２側に雲形の周状防漏溝５が付されている。図１においてはこのナプキンの一部の形態を２点鎖線で示しており、この状態から矢印ｔ２の方ウイング部を折返して畳み、さらに表面材側に凹となるよう矢印ｔ１の方に折り畳んで実線で示した個包装体１００の形態になる。ここではタブテープ８の配設されたナプキン前方の折り畳み手順を示したが、ナプキンの後方においてもウイング部を裏側に畳んで長手方向においては表面材側に凹となるよう折り畳むことは同様である。また、図１には示していなが、粘着剤に対して剥離可能な包装用シートと組み合わせて上記のようにして生理用ナプキンを折り畳み個包装体としてもよい。このようにすることで、例えば生理用ナプキンの中央やウイング部の裏面に付された粘着剤が別の部材に接着することを防ぐことができ、またナプキンをラッピングして埃などの進入を防止することができ好ましい。
【００１４】
図２は上記の個包装体１００の包装を解き平面状に生理用ナプキン１０を展開したときの形態を表面材側からみて模式的に示す一部切欠平面図である。図３は図２のIII−III線断面の拡大断面図である。本実施形態のナプキン１０は上述のとおり、下から、裏面材３、吸収体１、表面材２が積層された構造を有するが、さらに別の機能性の部材と組み合わせてもよい。例えば、吸収体の幅方向の両側縁１ａを包むように左右一対のサイドシート（図示せず）を配設して、吸収体１の型崩れを抑え、また横もれの防止性を高めるようにしてもよい。そして、生理用ナプキン１０は上記の裏面材３と表面材２の周縁が周縁シール部９において接着されており、内部に吸収体１を封入するようにされている。この周縁シール部９を形成するための加工方法は特に限定されないが、例えば、強固な接合を可能とするヒートシール加工やヒートエンボス加工を適用することができる。
【００１５】
本実施形態の生理用ナプキン１０においては、その表面材２側に、表面材２と吸収体１とを接合するように、断面において吸収体１のなかに切り込むように入り込んだ、平面視において周状の防漏溝５が設けられている。この周状防漏溝は全体において平面視における周状の形状が観念されればよく、１本の線状溝が連続して形成されたものであっても、複数もしくは多数の点状ないし線状溝が間欠的に連設されたものであってもよい。この周状防漏溝５及び後述する線状の側方線状溝６を形成するときの加工方法は特に限定されないが、所定の型付けロールを加熱して押圧し、表面材と吸収体とを熱圧搾することによりヒートシールする方法が挙げられる。
【００１６】
本実施形態の周状防漏溝５は、長手方向に延びる中心線と幅方向に延びる中心線とをそれぞれ観念したときに、これらの中心線に対して略線対称な形状を有している。そして、長手方向前方領域Ａ、中央領域Ｂ、後方領域Ｃにおいて、それぞれ幅方向の左右外側に凸に湾曲するように張り出した部分５ｄが形成されている。換言すれば、上記前方領域Ａの張り出し部５ｄ（Ａ）と中央領域Ｂの張り出し部５ｄ（Ｂ）との間には、周状防漏溝５が平面視において凹に湾曲した、つまり左右両側から周内方に入り込んだ括れ部５ａ（５ａ左、５ａ右）が形成されている。他方、上記後方領域Ｃの張り出し部５ｄ（Ｃ）と中央領域Ｂの張り出し部５ｄ（Ｂ）との間には同様に周内方に括れた括れ部５ｂ（５ｂ左、５ｂ右）が形成されている。なお、左右の区別は説明の便宜上のものであり、本実施形態の物品において両者を形態ないし機能的に限定して区別するものではない。
【００１７】
本実施形態の生理用ナプキンにおいては上記周状防漏溝の括れ部５ａ，５ｂの位置に個装折線ｋ１、ｋ２が配置され、ここで生理用ナプキンが表面側に凹となるよう折り曲げられ、長手方向に三つ折りにして折り畳まれる。そして、この個装折線ｋ１、ｋ２の位置に対応してこれと略平行に幅方向に延びる２つの中央溝４、具体的には前方中央溝４ａ及び後方中央溝４ｂが設けられ、この中央溝４は平面視において周状防漏溝５の括れ部５ａ，５ｂにおける左右の溝を橋架けするように若干の隙間をあけて幅方向にのび、かつ、生理用ナプキンの前後外方に向けて中央が張り出すように弧状にされている。このように個装折線に対応する位置に周状防漏溝の括れ部と中央溝とが配置されこれらの作用が相俟って、個包装体の包装状態を解いたときにおけるナプキンの表面材の浮きや皺入りをきわめて効果的に防止する。このことについては後述する。
【００１８】
本実施形態の生理用ナプキンにはさらに、一対の側方線状溝６ａ，６ｂが周状防漏溝５の左右外方でナプキンの長手方向に延びて、物品内方に向けて中央が張り出す緩やかな円弧状をなし配置されている。これにより横漏れの防止効果、吸収体の撚れや偏りを抑えるといった作用がもたらされる。さらには、後述するように着用時にナプキンの幅方向両側外方から内方に向けてかかる力（ｆ２，図４参照）を長手方向に均一化し、例えば中央内方領域Ｐに集中させすぎず、周状防漏溝５及び中央溝４が発揮するナプキン中央の隆起作用を好適化する。また、個装折線で折り畳んだために生じうる表面材の剥離ないし皺入りの抑制作用も、上記周状防漏溝５及び中央溝４の相互作用を高めて一層良化させる。
【００１９】
本実施形態において周状防漏溝５の内方領域は、前方中央溝４ａ及び後方中央溝４ｂによって、前方内方領域Ｑ、中央内方領域Ｐ、後方内方領域Ｏの３つに区分される。この中央内方領域Ｐは経血等の排泄ポイントに対向するように配設される部分であり、上記排泄液等を直接うけとる部分である。本実施形態によれば、上述のように中央内方領域Ｐが周状防漏溝５と中央溝４によって四方を囲まれているため、経血等の前後及び左右の漏れ防止性が極めて高い。しかも、この中央内方領域Ｐを越えて移行したわずかな経血等があっても、前後方向においては前方内方領域Ｑ及び後方内方領域Ｏでトラップされ、周状防漏溝５よりその前後外方へは移行しにくい。他方、左右の幅方向においては、前記の側方線状溝６があるので確実に液漏れを堰き止めることができる。
【００２０】
次に、本実施形態のナプキン１０が着用されたときの状態について以下に説明する。
生理用ナプキン１０は、通常そのウイング部Ｆを折り返してショーツ等の下着の股下部を巻き込むようして下着の内側に沿わせて固定し、着用される。そして着用者の肌面に対しては、ナプキン１０の中央内方領域Ｐにおける表面材２の部分が着用者の排泄部に当接するようになる。この際ナプキン１０は図４に示すように着用者の両太ももの付け根内側により左右から幅方向内側へ圧縮力ｆ２を受ける（同図では形状および作用が解されやすいよう、ウイング部Ｆを完全に折り返さない状態で、両腿に挟み込まれた幅方向の形状変化はやや抑え、内方領域Ｏ，Ｐ，Ｑの隆起状態は若干大きく表現している。）。
【００２１】
本実施形態の生理用ナプキン１０は、上記のようにして左右から幅方向内側へ圧縮力ｆ２を受けると、周状防漏溝の内方で円弧状の中央溝４に挟まれた中央内方領域Ｐに着用者の肌面側に突出しようとする力ｆＰがはたらき、人肌側にやわらくドーム状に隆起するよう変形する。そのため、経血の排泄ポイントとなる着用者のやや窪んだ肌面にも積極的にナプキンの表面が追従して密着し、排泄液を確実にうけとめて吸収保持することができる。このような物品形状の動的な変化は次のように説明することができる。ウイング部Ｆの方向から作用する幅方向内側に向う圧縮力ｆ２を中央領域Ｐが優先的に受けて幅方向にみて表面側に凸になるように湾曲変形する（変形補助線ｓ２参照）。他方、生理用ナプキンの長手方向は、大きくみて言えば着用者の臀部側から下腹部側にそって長手方向に表面方向に凹になって湾曲する（変形補助線ｓ１参照）。したがって、生理用ナプキンは幅方向と長手方向で逆の曲率をもつ円弧状に変形し、歪のかかる状態に曲げられて鞍面形状に湾曲する。この曲率面が交差する位置（交点として図示していないが変形補助線ｓ１，ｓ２が交差する位置）に上記の中央内方領域Ｐがあるため、このやや複雑な形状変化による作用をうけて、上述のような生理用ナプキンにとっては望ましいこの部分での優先的な隆起形状が得られる。
【００２２】
上記のようなナプキンの肌側への隆起作用は、周状溝５の内側で中央溝４の前後外方に位置する前方内方領域Ｑ及び後方内方領域Ｏにおいてももたらされる。このとき、着用者の肌面に突出しようとする前後の内方領域での力ｆＱ，ｆＯは、中央での力ｆＰより小さくなり、隆起高さもやや小さくなる。このことは、かえって着用者の肌面への追従性には好ましく、高い密着性の求められる中央内方領域で高く隆起し、その前後に至るについれ徐々に隆起量が減少することにより、液漏れや液流れを生じさせない良好な密着状態を維持する。また、領域Ｏ，Ｑの部分で強く当たりすぎず、やさしい肌あたりが実現される。さらにこの前方内方領域Ｑ及び後方内方領域Ｏは平面視においてモスクのドーム（屋根）の頂点を前後方向にそれぞれ向けるように設けられ、換言すれば周状防漏溝の前後端部５ｃを尖った形状に形成しため、溝の内方での隆起形状が徐々にその端部５ｃに向かって細く収束するようにされ、着用者のこの部分の輪郭にピッタリとフィットし、排泄ポイントのズレや不用意な隙間からの液流れなどを一層効果的に防止し、しかも着用感がよい。
【００２３】
本実施形態の生理用ナプキン１０においては、その広くほぼ全面にわたるよう周状防漏溝５及び側方線状溝６が配設されたため、全体において均等に吸収体と表面材とが接合安定化されている。これにより、着用時の吸収体の撚れや偏りが防止されることはもとより、後述する個包装体の包装を解き伸ばしたときの表面材の剥離や皺入りを防止する一層良好な作用が得られるため好ましい。
【００２４】
図５は、本実施形態の個包装体の折り畳み包装状態を解き、平らに伸ばしたときの個装折線周辺の状態を模式的に示す一部斜視図である。本実施形態の生理用ナプキン１０には上述のとおり、個装折線ｋ２の位置に周状防漏溝の括れ部５ａとともに円弧状の中央溝４ａが配設されている。特にこれらの平面視における溝形状及びその組合せが相互に作用し、従来周状溝のみを付したのみであれば複雑かつ深いしわが多数はいっていたのに対し（図９参照）、これを大幅に改善しほとんど皺のない状態を実現することができる。
【００２５】
さらには、表面材２が吸収体４から剥離してしまうことによる浮きが大幅に改善される。従来のもので特に薄型の吸収体４を具備するものにあっては、ひどい場合に図１０に示すような大きな剥離間隔ｒ２をなす浮きがみられることがあったが、本実施形態によれば薄型のものであっても折り畳んで個包装体１００とする前の密接状態（間隔ｒ１）が維持され（図３参照）、ほとんど浮きを生じないものとすることができる。このような表面材２の浮きが生じる作用機序については次のように考えられる。折り畳むことによる表面材側に生じる歪（ないしそれによりかかる応力）と裏面材側に生じる歪（応力）に差が生じ、両材に異なる変形ないし力がかかる状態となる。その折り畳みを解いて平らにのばしたときに、上記変形状態ないし力の差が埋められ、元の状態に復元されればよいが、両材そのもの、あるいはその中間に位置する吸収体等の復元力が足りなければ従来のものように表面材剥離による浮きが生じることがある。また、後述するような、本実施形態の生理用ナプキンに好適に用いられる畝部を有する表面材は、吸収体との接点が少なく、例えばスパイラルないし散点状のホットメルトなどで表面材と吸収体との間に面内の接着を取るケースにおいては、ホットメルトが開孔部面から浸みだす等の問題が生じ、きわめて困難である。したがって、表面材２は溝部１５、１６（特に断らない限り「溝」というときには、Ｖ字状ないしすり鉢状部分の内方空間と、それに対応する部材部分とを含む意味であるが、ここでは両者を区別して説明している。）によってのみ吸収体４と接合されるが（図３参照）、このような接合形態においては折り畳んで個包装体としたときに中央において特に表面材が浮きやすくなる。本実施形態のように中央溝１と周状防漏溝５とを組合せたものは、特にこのような特有の畝部を有する表面材を用いたものにおいても上記不具合を生じさせず、好適に対応することができ、顕著な作用を発揮してその浮きや皺を生じさせないようにすることができる。なお、上述したような個装折線ｋ２およびその周辺における本実施形態の作用は、個装折線ｋ１においても同様である。
【００２６】
次に本発明に好ましく用いられる表面材について説明する。
図６（ａ）は本発明の個包装体に適用される表面材の好ましい実施形態における要部を模式的に示す、表面剤の肌面側からみた一部断面斜視図である。図６（ｂ）は図６（ａ）の矢印ｂからみた一部断面図である。
本実施形態の表面材２においては、図６（ａ）（ｂ）に示すように、複数の上記頂部２５が略直線的に連続的に連なり、多列の畝部２２を形成し、隣り合う上記畝部２２の間は溝部２４となり、上記畝部２２と上記溝部２４とは平面部を有しないように交互に配列されている。そして、上記畝部２２は表面２８側においては凸状に隆起し、他方裏面２９側においては凹状部２３をなすよう窪まされており断面波状に湾曲している。上記溝部２４は間隔をおいて配置された多数の上記開孔部２６を有している。このように、上記畝部２２及び上記溝部２４を形成することによって、上記畝部２２及び上記溝部２４と平行な方向と、それらに直角な方向とにおける曲げ特性（例えば、バルクソフトネス等）に異方性を付与することができ、表面材のフィット性や風合いを一層向上させることができる。このとき別の実施形態として、開孔部２６を孔のない陥没部としてもよい。
【００２７】
本実施形態において隣り合う上記開孔部２６間は、頂部２５をなすように凸状に湾曲している。ここで、上記頂部とは、隣り合う上記開孔間における最も高い位置をいう。そして、上記頂部２５においては、上記表面シートの裏面２９が、上記表面２８に向かって突出している。したがって、頂部２５における繊維密度が高くなるので、圧縮を受けても、上記頂部２５の形状が保持されて肌との接触が低く抑えられベタツキ感が低減される。上記裏面２９が上記表面２８に向かって突出している部分の断面形状に特に制限はなく、矩形状、三角形状その他いかなる形状でもよい。
【００２８】
本実施形態の表面材において上記畝部２２及び上記溝部２４の延びる方向Ｄの、表面材が適用される吸収性物品に対する配向方向は特に限定されないが、この方向Ｄを吸収性物品の長手方向と合致させることが好ましい。また、畝部２２及び溝部２４は原反である上記不織布の製造時における機械方向と合致していてもよく、又は合致していなくてもよい。
【００２９】
本実施形態の表面材２は、上記構造を有することに加えて、断面方向におけるシートの厚さに勾配を有する。表面材２はいずれの部分においても繊維の存在量は概ね同じであるから、シートの厚さに勾配があるということは、換言すれば、シートの断面における単位面積当たりの繊維密度に勾配があるということである。すなわち、シートの厚さが大きい部分は繊維密度が小さい部分であり、繊維は疎に存在しておりソフト感を有する。一方、シートの厚さが小さい部分は繊維密度が大きい部分であり、繊維は密に存在しており剛直感を有する。
【００３０】
さらに本実施形態の表面材２について詳しくいうと、開孔部２６は、上記表面材の表面２８から裏面２９に向かって延出する上記不織布によって取り囲まれて形成されている。そして、上記開孔部２６の内壁２１は、上記表面２８からの連続面で形成されている。即ち、上記開孔部２６は、立体的な開孔である。立体的な開孔の態様としては、例えば、上記開孔部を取り囲む不織布が円筒状になっているものや、上記開孔部２６の径が上記表面２８から上記裏面２９に向かって漸次増加もしくは減少していく円錐状の開孔等が挙げられる。なかでも開孔部２６の径が表面２８から裏面２９に向かって漸次減少していく逆円錐状の開孔が好ましい。
【００３１】
隣り合う開孔部間の距離Ｌ１，Ｌ２ないし開孔部下端周縁２７から頂部２５までの高さｈは特に限定されず、全体において揃えられていることも、場所によって異なることも好ましい。上記開孔部２６の配置パターンには特に制限はなく、例えば、図示したような千鳥状の配置パターンを用いることができる。この場合、開孔部２６間の間隔ｌ１，ｌ２は０．４〜４０ｍｍであることが好ましく、１．５〜８ｍｍであることがより好ましい。上記間隔ｌ１，ｌ２が狭すぎると開孔部２６の周囲長が小さくなり、上記開孔部２６の周りをしっかりと形成できない場合がある。この間隔ｌ１，ｌ２が大きすぎると上記開孔部２６の存在が粗になり、体液の通過性が低くなる場合がある。
【００３２】
開孔部２６の形状に特に制限はなく、例えば楕円形、三角形又は四角形の開孔でもよいが、異方性のない円形の開孔とすることが、表面材のソフト感を向上させる点から好ましい。なお、表面材を吸収性物品に組み込む場合においては、上記表面２８側を肌に接する面として使用することが好ましい。
【００３３】
表面材２を構成する不織布としてはこの種の物品に適用される通常の不織布を特に制限なく用いることができる。例えば、カード法により製造された不織布、スパンボンド不織布、メルトブローン不織布、スパンレース不織布及びニードルパンチ不織布等の種々の不織布を目的・用途に応じて適宜選択することができる。これらの不織布における繊維の接着手段に特に制限はなく、例えば、バインダーによる接着や熱融着による接着を用いることができる。所望の特性、特に改善された柔らかさとドライ感を顕著に実現するためには、上記不織布として、熱融着性繊維ウェブをサクションヒートボンドし、強固な圧縮を受けずに不織布化したシートが最も好適に用いられる。又、熱伸張繊維を用いてエンボス処理、凹凸処理した表面材等を用いても構わない。なお、本発明において「不織布」とは、単体の不織布のみならず、不織布同士、不織布及びフィルム、不織布及び紙又は不織布及び他の材料を複合化した種々の未開孔のシートを包含する。
【００３４】
上記不織布本来の厚さ（つまり、開孔が設けられる前の不織布の厚さ）及び坪量には特に制限はないが、０．５ｇ／ｃｍ２荷重下での厚さは、風合い及び加工性の点から、０．４〜１．５ｍｍが好ましく、更に好ましくは０．４〜１．０ｍｍであり、一層好ましくは０．５〜０．７ｍｍである。坪量は、風合い、地合むら及び加工性の点から１５〜４５ｇ／ｍ２が好ましく、更に好ましくは１５〜３５ｇ／ｃｍ２である。
【００３５】
上記不織布に使用される繊維としては、例えば、ポリエチレン（ＰＥ）、ポリプロピレン（ＰＰ）、ポリエチレンテレフタレート（ＰＥＴ）のようなポリエステル及びナイロンのようなポリアミド等の合成繊維、レーヨン及びキュプラ等の再生セルロース繊維、並びにコットン等の天然繊維が挙げられるがこれらに限定されるものではない。また、融点の高い繊維を芯とし且つ融点の低い繊維を鞘とした芯鞘型繊維やサイド−バイ−サイド型の複合繊維等も好適に用いられる。これらの繊維は１種又は２種以上を使用することができる。これらの繊維における繊維径に特に制限はないが、０．１〜６．０デニールであることが好ましく、１〜４デニールであることが更に好ましい。繊維径が０．１デニールに満たないと、繊維間距離が小さくなり、毛管力により液残りが生じる場合があり、繊維径が６．０デニールを超えると不織布の隠蔽性が悪くなる場合があるので、上記範囲内とすることが好ましい。又、熱融着性繊維としては、熱融着成分と該熱融着成分より融点の高い高融点成分よりなる複合繊維が用いられ、より好ましくは、熱融着成分を鞘、高融点成分を芯とする芯鞘型複合繊維が用いられる。熱融着成分及び高融点成分は、熱可塑性樹脂であることが好ましい。熱融着成分としては、例えば、ポリエチレン、ポリプロピレン、ポリブテン−１、ポリペンテン−１、又はこれらのランダム若しくはブロック共重合体等が挙げられる。高融点成分としては、例えば、ポリエチレンテレフテレート、ポリブチレンテレフタレートなどのポリエステル、ナイロン−６やナイロン−６６などのポリアミド等が挙げられる。
【００３６】
上記不織布の一例として、繊維径２デニールの芯鞘型のＰＥＴ／ＰＥ複合繊維（容積比５０／５０）をカード機により開繊した後、熱風により繊維間を融着せしめたサクションヒートボンド不織布（０．５ｇ／ｃｍ２荷重下での見掛け厚さ約０．６ｍｍ、坪量２５ｇ／ｍ２）が挙げられる。
【００３７】
図２に戻って本実施形態の生理用ナプキン１０における要部の寸法の好ましい範囲について説明する。中央内方領域Ｐにおける周状防漏溝の張り出し部の離間幅ｗ１は、前方内方領域部Ｑ、後方内方領域Ｏにおけるその幅ｗ２よりも広くなっている。また、中央内方領域Ｐの長手方向に沿った長さＬｐは、前方内方領域Ｑ及び後方内方領域Ｏの長さＬｑ，Ｌｏよりも長くなっている。このような寸法することが上述した各領域の隆起作用が好適に発揮される点で好ましい。
【００３８】
本実施形態のナプキン１０において、中央内方領域Ｐにおける長手方向に沿った長さＬｐは排泄部を長手方向に覆うように当接する観点から、５０〜１００ｍｍが好ましく、６０〜８０ｍｍであることがより好ましい。また、前方内方領域Ｑ及び後方内包領域Ｏにおける長手方向に沿った長さＬｑ，Ｌｏは２０〜７０ｍｍが好ましく、３０〜６０ｍｍであることがより好ましい。長手方向に沿った長さは、長手方向に平行な方向に沿った長さであり、湾曲した曲線に沿った長さではない。
【００３９】
中央内方領域Ｐにおける幅ｗ１（長手方向において幅方向に沿った最大幅）は、排泄部を幅方向に覆うように当接する観点から、２０〜７０ｍｍが好ましく、３０〜６０ｍｍであることがより好ましい。また、前方内方領域Ｑ及び後方内包領域Ｏにおける幅ｗ２（長手方向において幅方向に沿った最大幅）それぞれは、１０〜６０ｍｍが好ましく、２０〜５０ｍｍであることがより好ましい。幅方向に沿った幅とは、幅方向に平行な方向に沿った幅である。括れ部分５ａ、５ｂにおける左右の溝の間の幅ｗ３（長手方向において幅方向に沿った最小幅）は、１０〜６０ｍｍが好ましく、２０〜５０ｍｍあることがより好ましい。
【００４０】
本実施形態のナプキン１０において、中央溝（４ａ，４ｂ）における長手方向に沿った先端部の長さＬｒは、製品の折り線部Ｋ１，Ｋ２と同一線上であり、また、周状防漏溝５の括れ部５ａ，５ｂと同一線上にあるようにする長さであることが好ましい。また、４ａ，４ｂの円弧状になって張り出す幅Ｌｓは５〜１５ｍｍが好ましい。中央溝（４ａ，４ｂ）における幅Ｗ３（長手方向に沿った幅）は、中央溝４ａ，４ｂが周状防漏溝５に接触せず、２ｍｍ〜５ｍｍ離れる幅であることが好ましい。
【００４１】
本実施形態のナプキン１０おいて、吸収体４を構成するパルプ材料としては吸収性物品等において用いられている各種のパルプ材料を用いることができるが、特に針葉樹パルプ、化学処理された合成パルプ、セルローストウのような長繊維が好ましい。また、吸収体４の形成材料として、パルプ材料の他に、高分子吸収ポリマー、ポリエステルやポリプロピレン製の合成繊維、熱融着性繊維、レーヨンを用いることもできる。吸収体４の形成材料として、パルプ材料及びその他の前記材料を混合して用いることも好ましい。
【００４２】
裏面材の材料は特に限定されないが、液不透過性のシート材からなることが好ましい。必要に応じて水蒸気の透過性のものであってもよい。具体的には、十分な水蒸気透過性を得るために、炭酸カルシウム等のフィラーからなる微粉を分散させたポリエチレン等の合成樹脂製のフィルムを延伸し、微細な孔をあけた多孔質フィルムを用いることが好ましい。裏面シートは１枚であっても複数のシートを組み合わせたものであっ
【００４３】
サイドシート（図示せず）を適用するときには、吸収性物品等において用いられている各種の撥水性を有するシート材料を用いることができるが、特にポリエチレンシート、ポリエチレンラミネート紙、ＳＭＳ不織布が好ましい。
【００４４】
図７及び８は、本発明の個包装体の別の本実施形態に係る生理用ナプキンを、個包装体の包装を解き面状にした状態で模式的に示す平面図である。図７に示したものは、中央溝４（４ａ，４ｂ）を平面視においてＶ字基調の形態にしたものであり、図８に示したものはさらに上記Ｖ字基調の中央溝が周状防漏溝５と連続した形態としたものである。
【００４５】
本発明の吸収性物品の個包装体は、前述した実施形態に制限されることなく、本発明の趣旨を逸脱しない限り適宜変更が可能である。例えば、上記本実施形態における周状防漏溝５は、全体として周状であれば例えば左右一対の連続した線状溝からなっていてもよい。あるいは、物品長手方向もしくは左右幅方向に分かれて、２つ以上の周状溝をもつものであっても、「８」の字ないし眼鏡状になったものでもよい。また、周状溝５は、前記長手方向中央領域の前後両方において幅方向内側に括れた括れ部５ａ、５ｂを有していたが、一方においてのみ幅方向内側に括れた部分を有していたり、左右片側のみにおいて括れたものであったりしてもよい。
【００４６】
本発明の個包装体をなす吸収性物品は、生理用ナプキンやパンティライナーのほか、失禁パッドなどであってもよい。
【符号の説明】
【００４７】
１  吸収体
２  表面材
２１  内壁
２２  畝部
２３  凹状部
２４  溝部
２５  頂部
２６  開孔部
２７  下端周縁
２８  表面
２９  裏面
３  裏面材
４  中央溝
４ａ  前方中央溝
４ｂ  後方中央溝
５  周状防漏溝
５ａ、５ｂ  括れ部
５ｃ  前後方向端部
５ｄ  左右外方張り出し部
１５  周状防漏溝部
６  側方線状溝
１６側方線状溝部
８  タブテープ
９  周縁シール部
１０、２０、３０、４０  生理用ナプキン
１００  生理用ナプキンの個包装体
【図１】
2010178932.tif 000003
【図２】
2010178932.tif 000004
【図３】
2010178932.tif 000005
【図４】
2010178932.tif 000006
【図５】
2010178932.tif 000007
【図６】
2010178932.tif 000008
【図７】
2010178932.tif 000009
【図８】
2010178932.tif 000010
【図９】
2010178932.tif 000011
【図１０】
2010178932.tif 000012